(57)【特許請求の範囲】
【請求項１】
マルチチャネルの主情報を付加情報と共に固定長のシンクブロック単位で記録媒体の予め定められた長さの各トラックに順次に記録する情報記録方法において、
前記シンクブロック内に、前記主情報のコピーフリー、コピー禁止及び１回コピー可のいずれかを示す各チャネル毎に定められたコピー世代コントロール信号を記録すると共に、前記マルチチャネルの各チャネル毎に定められた前記コピー世代コントロール信号のうち最も厳しい内容のコピー世代コントロール信号を代表値として前記シンクブロック内の第１のヘッダ領域に記録することを特徴とする情報記録方法。
【請求項２】
前記マルチチャネルの各チャネル毎に定められた前記コピー世代コントロール信号は、前記シンクブロック内の第２のヘッダ領域に記録することを特徴とする請求項１記載の情報記録方法。
【請求項３】
マルチチャネルの主情報を付加情報と共に固定長のシンクブロック単位で記録媒体の予め定められた長さの各トラックに順次に記録する情報記録装置において、
前記マルチチャネルの主情報から各チャネル毎に前記主情報のコピーフリー、コピー禁止及び１回コピー可のいずれかを示すコピー世代コントロール信号をデコード出力するデコーダと、
前記デコーダから出力される各チャネル毎の前記コピー世代コントロール信号を入力として受け、最も厳しい内容の前記コピー世代コントロール信号を代表値として選択して出力するセレクタと、
前記マルチチャネルの主情報に誤り訂正符号を付加した後、前記シンクブロック単位の信号に変換すると共に、前記セレクタからの前記コピー世代コントロール信号の代表値を前記シンクブロック内の第１のヘッダ領域に挿入してディジタル情報信号として出力するフォーマッタと、
前記フォーマッタからの前記ディジタル情報信号を前記記録媒体の前記各トラックに記録する記録機構と
を有することを特徴とする情報記録装置。
【請求項４】
前記フォーマッタは、前記デコーダからの各チャネル毎に定められた前記コピー世代コントロール信号を前記シンクブロック内の第２のヘッダ領域に挿入した前記ディジタル情報信号を生成することを特徴とする請求項３記載の情報記録装置。
【請求項５】
マルチチャネルの主情報が付加情報と共に固定長のシンクブロック単位で予め定められた長さの各トラックに順次に記録され、前記シンクブロック内に、前記主情報のコピーフリー、コピー禁止及び１回コピー可のいずれかを示す各チャネル毎に定められたコピー世代コントロール信号が記録されると共に、前記主情報のコピーフリー、コピー禁止及び１回コピー可のいずれかを示す各チャネル毎のコピー世代コントロール信号のうち最も厳しい内容のコピー世代コントロール信号が代表値として前記シンクブロック内の第１のヘッダ領域に記録されている記録媒体から記録情報を再生する情報再生装置であって、
前記記録媒体から記録情報を再生する再生機構と、
前記再生機構からの再生情報を復調するフォーマッタと、
少なくとも前記フォーマッタの出力信号中の前記第１のヘッダ領域から前記代表値を抽出するデコード手段と、
前記フォーマッタからの再生情報を再生装置規定のインタフェース変換した信号に前記代表値を含めて出力するセレクタと
を有することを特徴とする情報再生装置。
【請求項６】
前記記録媒体は前記シンクブロック内の第２のヘッダ領域に前記マルチチャネルの各チャネル毎に定められた前記コピー世代コントロール信号が記録されており、前記デコード手段が前記第１及び第２のヘッダ領域の記録コピー世代コントロール信号の両方又は一方を抽出する構成であり、前記セレクタは、前記デコード手段により少なくとも前記第２のヘッダ領域の記録コピー世代コントロール信号が抽出されて入力されるときは前記フォーマッタからの再生情報を再生装置規定のインタフェース変換した信号に前記第２のヘッダ領域の記録コピー世代コントロール信号を含めて出力し、前記デコード手段により前記第１のヘッダ領域の記録コピー世代コントロール信号のみが抽出されて入力されるときは前記フォーマッタからの再生情報を再生装置規定のインタフェース変換した信号に前記代表値を含めて出力することを特徴とする請求項５記載の情報再生装置。
【請求項７】
マルチチャネルの主情報が付加情報と共に固定長のシンクブロック単位で予め定められた長さの各トラックに順次に記録された記録媒体において、
前記主情報のコピーフリー、コピー禁止及び１回コピー可のいずれかを示す各チャネル毎のコピー世代コントロール信号のうち最も厳しい内容のコピー世代コントロール信号が代表値として前記シンクブロック内の第１のヘッダ領域に記録されており、前記マルチチャネルの各チャネル毎に定められた前記コピー世代コントロール信号は、前記シンクブロック内の主情報領域又は第２のヘッダ領域に記録されていることを特徴とする記録媒体。
【発明の詳細な説明】
【０００１】
【発明の属する技術分野】
本発明は情報記録方法、記録装置、再生装置及び記録媒体に係り、特に記録媒体にパケット化して記録されたディジタル情報の不正コピーを防止する情報記録方法、記録装置、再生装置及び記録媒体に関する。
【０００２】
【従来の技術】
最近、ディジタル記録再生技術の進歩発展により、ディジタル信号を媒体に記録・再生することが一般に広く普及するようになった。その一方で、ディジタル記録・再生ではオリジナルの記録情報に対する再生品質の劣化が発生しないため、複製（コピー）による著作権の侵害が問題となっている。
【０００３】
そこで、上記の著作権侵害の防止のためのコピーガード技術として、ディジタル・オーディオ・テープレコーダ（ＤＡＴ）等のディジタルコピーが可能な機器では、１回だけのコピーを許容するシリアル・コピー・マネージメント・システム（ＳＣＭＳ）が知られている。このＳＣＭＳでは、ディジタル音声インタフェース信号に含まれているコピー禁止／許可フラグを用いてコピーの制御を行う。
【０００４】
また、映像信号が記録されている記録媒体から他の記録媒体へのコピー制御方式として、コピー・ジェネレーション・マネージメント・システム（ＣＧＭＳ）が知られている。このＣＧＭＳは、図９に示すように、２ビットのコピー世代コントロール信号を受け渡すようにしたもので、２ビットの値が”００”のときはコピー記録を許容し、”１０”のときは１回だけのコピーを許容し、”１１”であればコピーを禁止するように記録装置を構成する方式であり、値が”１０”のときは値を”１１”に変更して記録する。
【０００５】
例えば、ディジタル記録再生を行うＤ−ＶＨＳ（登録商標）規格のディジタルＶＴＲでは、入力される情報をシンクブロックと称されるデータブロックに規定の間隔でＣＧＭＳを記録し、これによりコピー制御できるようになっている。
【０００６】
また、従来、映像機器及び音声機器に対して、ネットワークバスを介して伝送されるデータのデータフォーマット中に２ビットのコピー制御情報を挿入することにより、有効にコピー制御を行うようにしたコピープロテクト方法及び記録再生装置も知られている（特開平１１−８６４３７号公報）。
【０００７】
この従来方法によれば、例えば伝送パケットのヘッダ部分に２ビットのコピー制御情報であるＣＣＩ（コピー・コントロール・インフォメーション）を挿入すると共に、伝送データ中に含まれているコピー世代コントロール情報が前記ＣＧＭＳ及びＳＣＭＳの両方又はいずれか一方に応じてコピー制御すると共に、ＣＣＩの値をＣＧＭＳ及びＳＣＭＳの両方又はいずれか一方であるかに応じて設定して伝送する構成である。
【０００８】
【発明が解決しようとする課題】
しかるに、上記の従来方法では、マルチチャネルのデータを記録する場合で、各チャネルのＣＧＭＳなどのコピー世代コントロール情報の値が異なっているとき、どのようにコピー世代コントロール情報を記録するかが問題となる。選択を誤ると、コピーしてはならない情報をコピー可能な情報として記録してしまうという問題が発生する。
【０００９】
本発明は以上の点に鑑みなされたもので、コピー世代コントロール情報の値が異なっているマルチチャネルのデータを誤って記録制御することのない情報記録方法、記録装置、再生装置及び記録媒体を提供することを目的とする。
【００１０】
【課題を解決するための手段】
上記の目的を達成するため、本発明の情報記録方法は、マルチチャネルの主情報を付加情報と共に固定長のシンクブロック単位で記録媒体の予め定められた長さの各トラックに順次に記録する情報記録方法において、シンクブロック内に、主情報のコピーフリー、コピー禁止及び１回コピー可のいずれかを示す各チャネル毎に定められたコピー世代コントロール信号を記録すると共に、マルチチャネルの各チャネル毎に定められたコピー世代コントロール信号のうち最も厳しい内容のコピー世代コントロール信号を代表値としてシンクブロック内の第１のヘッダ領域に記録することを特徴とする。
【００１１】
ここで、マルチチャネルの各チャネル毎に定められたコピー世代コントロール信号は、シンクブロック内の第２のヘッダ領域に記録してもよい。
【００１２】
また、上記の目的を達成するため、本発明の情報記録装置は、マルチチャネルの主情報を付加情報と共に固定長のシンクブロック単位で記録媒体の予め定められた長さの各トラックに順次に記録する情報記録装置において、マルチチャネルの主情報から各チャネル毎に主情報のコピーフリー、コピー禁止及び１回コピー可のいずれかを示すコピー世代コントロール信号をデコード出力するデコーダと、デコーダから出力される各チャネル毎のコピー世代コントロール信号を入力として受け、最も厳しい内容のコピー世代コントロール信号を代表値として選択して出力するセレクタと、マルチチャネルの主情報に誤り訂正符号を付加した後、シンクブロック単位の信号に変換すると共に、セレクタからのコピー世代コントロール信号の代表値をシンクブロック内の第１のヘッダ領域に挿入してディジタル情報信号として出力するフォーマッタと、フォーマッタからのディジタル情報信号を記録媒体の各トラックに記録する記録機構とを有する構成としたものである。
【００１３】
ここで、上記のフォーマッタは、デコーダからの各チャネル毎に定められたコピー世代コントロール信号をシンクブロック内の第２のヘッダ領域に挿入したディジタル情報信号を生成するようにしてもよい。
【００１４】
上記の本発明の情報記録方法及び情報記録装置では、セレクタからのコピー世代コントロール信号の代表値をシンクブロック内の第１のヘッダ領域に挿入し、また、各チャネル毎に定められたコピー世代コントロール信号をシンクブロック内の主情報領域あるいは第２のヘッダ領域に挿入したディジタル情報信号として記録できる。
【００１５】
また、本発明の情報再生装置は、上記の目的を達成するため、マルチチャネルの主情報が付加情報と共に固定長のシンクブロック単位で予め定められた長さの各トラックに順次に記録され、シンクブロック内に、主情報のコピーフリー、コピー禁止及び１回コピー可のいずれかを示す各チャネル毎に定められたコピー世代コントロール信号が記録されると共に、主情報のコピーフリー、コピー禁止及び１回コピー可のいずれかを示す各チャネル毎のコピー世代コントロール信号のうち最も厳しい内容のコピー世代コントロール信号が代表値としてシンクブロック内の第１のヘッダ領域に記録されている記録媒体から記録情報を再生する情報再生装置であって、記録媒体から記録情報を再生する再生機構と、再生機構からの再生情報を復調するフォーマッタと、少なくともフォーマッタの出力信号中の第１のヘッダ領域から代表値を抽出するデコード手段と、フォーマッタからの再生情報を再生装置規定のインタフェース変換した信号に代表値を含めて出力するセレクタとを有する構成としたものである。
【００１６】
この発明では、少なくともセレクタからのコピー世代コントロール信号の代表値をシンクブロック内の第１のヘッダ領域から抽出し、更には各チャネル毎に定められたコピー世代コントロール信号をシンクブロック内から抽出し、少なくとも抽出したコピー世代コントロール信号の代表値を含み、かつ、インタフェース変換した再生情報を外部へ出力するため、外部の記録装置ではマルチチャネルの主情報のうち、コピー禁止とされているチャネルの主情報のコピー禁止が確実にできる。
【００１７】
また、上記の目的を達成するため、本発明の記録媒体は、マルチチャネルの主情報が付加情報と共に固定長のシンクブロック単位で予め定められた長さの各トラックに順次に記録された記録媒体において、主情報のコピーフリー、コピー禁止及び１回コピー可のいずれかを示す各チャネル毎のコピー世代コントロール信号のうち最も厳しい内容のコピー世代コントロール信号が代表値としてシンクブロック内の第１のヘッダ領域に記録されており、マルチチャネルの各チャネル毎に定められたコピー世代コントロール信号は、シンクブロック内の主情報領域又は第２のヘッダ領域に記録されていることを特徴とする。
【００１８】
【発明の実施の形態】
次に、本発明の一実施の形態について図面と共に説明する。図１は本発明になる情報記録方法及び記録装置の要部の一実施の形態のブロック図を示す。この実施の形態では、カラー動画像蓄積用方式の国際標準であるＭＰＥＧ（Moving Picture Experts Group）のトランスポートストリーム（ＴＳ）を記録・再生するディジタル信号用データレコーダとしてのＤ−ＶＨＳ規格ＶＴＲを例にとって説明する。また、コピー世代コントロール情報としてＣＧＭＳを例にとって説明する。
【００１９】
図１において、映像信号を少なくとも含むマルチチャネルのアナログ情報信号をＭＰＥＧ２規格に従って圧縮符号化して得たトランスポートストリーム（ＴＳ）は、マルチチャネルのデータであり、ＣＧＭＳデコーダ１１に供給されてＭＰＥＧストリーム中あるいはインタフェースプロトコルに含まれる情報からマルチチャネルのそれぞれのＣＧＭＳのコピー世代コントロール情報を取り出して、ＣＧＭＳセレクタ１２及びトラックフォーマッタ１３の第３の入力端子にそれぞれ供給される一方、直接にトラックフォーマッタ１３の第１の入力端子に供給される。なお、上記のＣＧＭＳのコピー世代コントロール情報は、ＴＳパケット中のペイロード（データ部）で伝送される、プログラムの中に記述されている。
【００２０】
ＣＧＭＳセレクタ１２は、ＣＧＭＳデコーダ１１から入力されたマルチチャネルのそれぞれのＣＧＭＳのコピー世代コントロール情報の２ビットの値が以下の不等式
００＜１０＜１１
で定められたプライオリティに従って、入力されたすべてのチャネルのＣＧＭＳのうち、最も制限の厳しいＣＧＭＳを選択し、その選択ＣＧＭＳを代表値としてトラックフォーマッタ１３の第２の入力端子に供給する。
【００２１】
すなわち、図９と共に前述したように、コピー世代コントロール情報ＣＧＭＳが「００」のときはコピーフリー、「１０」は１回コピー可、「１１」はコピー禁止であるから、ＣＧＭＳセレクタ１２は、上記の不等式に従い、入力されたすべてのチャネルのＣＧＭＳのうち、１チャネルでもＣＧＭＳが「１１」であれば、他のチャネルのＣＧＭＳの値に関係なく、最も厳しいコピー禁止を示す「１１」をＣＧＭＳの代表値として出力し、また、「１１」のＣＧＭＳがなく、ＣＧＭＳが「１０」のチャネルが１チャネルでもあれば、１回コピー可を示す「１０」をＣＧＭＳの代表値として出力し、すべてのチャネルのＣＧＭＳがコピーフリーを示す「００」であるときのみ、「００」をＣＧＭＳの代表値として出力する。
【００２２】
トラックフォーマッタ１３は、第１の入力端子に入力されたＴＳに対し、誤り訂正符号（ＥＣＣ）などを付加した後、各トラックに所定数のデータブロック（シンクブロック）を記録するために、図２に示す第１のヘッダ領域であるメインヘッダ領域２１中に前記ＣＧＭＳの代表値が配置され、かつ、第２のヘッダ領域であるパケットヘッダ領域２３中に前記各チャネルのＣＧＭＳを配置した、所定フォーマットのシンクブロック単位の信号に変換した後、所定方式（例えばＮＲＺＩ方式）で変調したディジタル情報信号を生成し、そのディジタル情報信号を、図示しない記録機構へ出力して記録させる。
【００２３】
ここで、シンクブロックの構成について詳細に説明するに、隣接する任意の２つのシンクブロック＃ｎとシンクブロック＃ｎ＋１のそれぞれは、図２に示すように、２バイトの同期信号ｓｙｎｃ、３バイトのアドレス情報（ＩＤ）、９６バイトのデータ格納エリア、８バイトの内部パリティ２６を別々に有し、更に、２つのシンクブロック＃ｎとシンクブロック＃ｎ＋１のＩＤ領域に続く各２バイトずつの全部で４バイトの領域にはメインヘッダ領域２１が配置され、メインヘッダ領域２１に続く各１バイトずつの全部で２バイトの領域にはデータ予備領域（Ｄａｔａ−ＡＵＸ）２２が配置される。
【００２４】
更に、上記の９６バイトのデータ格納エリアは、シンクブロック＃ｎでは４バイトのパケットヘッダ領域２３と９２バイトのトランスポートパケット領域２４とからなり、シンクブロック＃ｎ＋１では９６バイトすべてがトランスポートパケット領域２５となっている。すなわち、トランスポートパケットは、隣接する任意の２つのシンクブロック＃ｎとシンクブロック＃ｎ＋１の領域２４と２５で全部で１８８バイト配置される。
【００２５】
上記のメインヘッダ領域２１は、図３に示すように、第１バイト（シンクブロック＃ｎ）の上位４ビットにフォーマット情報が、残りの下位４ビットと第２バイト（シンクブロック＃ｎ＋１）の計１２ビットにシンクブロック情報が割り当てられている。図３において、「フォーマットＩＤ」は、トラックのフォーマットがノーマルモード記録によるものか別のモード記録によるものかを示し、「アプリケーション・ディテール」は、記録ディジタル信号がパケットサイズ１８８バイトのＭＰＥＧトランスポートパケットであるのか、パケットサイズ１４０バイトの別の伝送方式のパケットであるのかを識別する情報であり、「時間圧縮率」は圧縮レートを示す情報である。
【００２６】
更に、「Ｄ．Ｔ．」はＭＰＥＧパケットがダミーデータかトリックプレイデータかを識別させるための２ビットのデータタイプ情報であり、「Ｓ．Ｂ．Ｃ．」はパケットが隣接する２つのシンクブロックを単位として記録される場合、このメインヘッダを有するシンクブロックが隣接する２つのシンクブロックの１番目か２番目かを識別させるためのシンクブロックカウンタ情報である。
【００２７】
この実施の形態では、１２シンクブロック単位で繰り返して記録されるメインヘッダ領域２１のうち、一周期の１１番目のシンクブロックのメインヘッダ領域２１の上位２ビットを、前記ＣＧＭＳの代表値に割り当てている。また、３２ビット（＝４バイト）の前記パケットヘッダ領域２３は図４に示すように、２ビットの各チャネル毎のコピー世代コントロール信号ＣＧＭＳの領域３１と、８ビットの予約領域３２と、２２ビットのタイムスタンプ領域３３とからなる。
【００２８】
なお、タイムスタンプ領域３３に配置されるタイムスタンプは、本実施の形態の要旨に直接の関係はないので、その詳細な説明は省略するが、入力ＴＳの入力時刻を示しており、回転ドラムの回転を制御するドラムサーボ回路の基準パルスを生成するために用いる。このタイムスタンプは、入力ＴＳ中の例えばＰＣＲ（プログラム時刻基準参照値）を抽出して位相同期ループ回路（図１では図示せず）に供給して基準クロックを生成し、この基準クロックに基づいてタイムスタンプ生成回路（図１では図示せず）により生成されてパケットヘッダ領域２３中に挿入される。
【００２９】
トラックフォーマッタ１３から取り出された、図２及び図３に示すメインヘッダ領域２１中に前記ＣＧＭＳの代表値が配置され、かつ、図２及び図４に示すパケットヘッダ領域２３中に前記各チャネルのＣＧＭＳを配置した、所定フォーマットで固定長のシンクブロック単位のディジタル情報信号は、図示しない記録機構により磁気テープに記録される。
【００３０】
この記録機構は、回転体の回転面に１８０°対向して取り付けられた、互いにアジマス角度の異なる２個の回転ヘッドと、前記ディジタル情報信号を増幅する記録アンプと、記録アンプから出力されたディジタル情報信号を上記の回転ヘッドに供給するロータリートランスと、上記回転体及び回転ヘッドを回転するドラムモータと、ドラムモータの回転を制御するドラムサーボ回路などからなり、上記の回転体の外側面に約１８０°の角度範囲にわたって斜めに巻回されつつ一定速度で走行する磁気テープに、テープ長手方向に対して傾斜した長手方向を持つディジタル情報信号記録トラックを順次に形成する。
【００３１】
この順次に形成されるディジタル情報信号記録トラックのそれぞれは、図５に示すように、シンクブロック（ＳＢ）と称される一定量のデータエリアを、回転ヘッドの走査に従って複数個配置することにより構成される。すなわち、ディジタル情報信号記録トラックのトラックフォーマットは、図５に示す如く、２シンクブロックのマージン領域４１、３シンクブロックのプリアンブル領域４２、４シンクブロックのサブコード領域４３、３シンクブロックのポストアンブル領域４４、３シンクブロックのＩＢＧ領域４５、１シンクブロックのプリアンブル領域４６、３３６シンクブロックのメインコード領域（データ領域）４７、２シンクブロックのポストアンブル領域４８及びマージン領域４９から構成されており、情報の記録領域として、メインコード領域４７とサブコード領域４３の２領域を有している。
【００３２】
なお、マージン領域４９は前記回転ヘッドが取り付けられた回転体が、ドラムサーボにより３０ｒｐｓ又は２９．９７ｒｐｓで回転するように制御されるの  で、２シンクブロック又は２．３５６シンクブロックとされ、よって１トラック全体では３５６シンクブロック又は３５６．３５６シンクブロックで構成され  る。いずれの場合も、サブコード領域４３は４シンクブロック、メインコード領域４７は３３６シンクブロックで固定長に設定されている。メインコード領域  ４７には、図２に示したＭＰＥＧ２のトランスポートストリームの１８８バイトの各パケットが隣接する２つのシンクブロックを単位として記録される。
【００３３】
また、サブコード領域４３には、２８バイトのブロックが全部で１６個時系列的に合成された、４４８バイトのサブコードが格納される。このサブコードは、メインデータに付随する情報（例えば、メインデータのフォーマット情報、記録内容、記録日時等）である。このようにして、この実施の形態では、図２及び図３に示すメインヘッダ領域２１中に前記ＣＧＭＳの代表値が配置され、かつ、図２及び図４に示すパケットヘッダ領域２３中に前記各チャネルのＣＧＭＳを配置した、所定フォーマットで固定長のシンクブロック単位のディジタル情報信号が図５のフォーマットのトラックに記録された記録済みの磁気テープが作成される。
【００３４】
次に、本発明の再生装置について説明する。図６は本発明になる再生装置の要部の一実施の形態のブロック図を示す。前記の記録済みの磁気テープの記録ディジタル信号は、記録機構と同様構成の再生機構の回転ヘッドにより再生され、図６のトラックフォーマッタ５１に供給され、ここで復調され、更に誤り訂正符号を用いて誤り訂正された後、再生ＴＳをＣＧＭＳデコーダ５２とＣＧＭＳデコーダ５３とＣＧＭＳセレクタ５４にそれぞれ供給される。
【００３５】
ＣＧＭＳデコーダ５２は、入力再生ＴＳ中のメインヘッダから前記のＣＧＭＳの代表値を抽出し、その抽出代表値をＣＧＭＳセレクタ５４に供給する。一方、ＣＧＭＳデコーダ５３は、入力再生ＴＳ中のパケットヘッダから前記の各チャネル毎のＣＧＭＳを抽出し、その抽出ＣＧＭＳ値をＣＧＭＳセレクタ５４に供給する。
【００３６】
ＣＧＭＳセレクタ５４は、ＣＧＭＳデコーダ５３から各チャネル毎のＣＧＭＳ値が入力される時には、入力再生ＴＳを再生装置規定のフォーマットにインタフェース変換し、かつ、ＣＧＭＳデコーダ５３からの各チャネル毎のＣＧＭＳ値を含むデータを出力する。ＣＧＭＳセレクタ５４の出力ＴＳは図示しないモニタに供給され、あるいは、コピー記録のための記録装置に入力されてコピー記録される。ここで、ＣＧＭＳセレクタ５４から出力される再生信号は、ＣＧＭＳデコーダ５３からのＣＧＭＳ値を含んでいるため、その値がコピーフリー又は１回コピー可を示しているときは記録装置で記録され、コピー禁止を示しているときはコピー記録が記録装置において阻止される。なお、ＣＧＭＳの値が１回コピー可を示しているときは記録装置でコピー禁止の値に変更されてから再生信号が記録される。また、ＣＧＭＳセレクタ５４の出力再生信号は、ＣＧＭＳの値に関係なくモニタでは表示可能とされている。
【００３７】
一方、ＣＧＭＳセレクタ５４は、ＣＧＭＳデコーダ５３から各チャネル毎のＣＧＭＳ値が何らかの理由で入力されない時、あるいはＣＧＭＳデコーダ５３自体が存在しないときには、ＣＧＭＳデコーダ５２から入力されるＣＧＭＳの代表値を含み、かつ、インタフェース変換された入力再生ＴＳを後段へ出力する。ここで、ＣＧＭＳデコーダ５２から入力されるＣＧＭＳの代表値は、前述したように最も厳しいコピーガード情報を示しているので、マルチチャネルのプログラムのＣＧＭＳを緩やかにするように出力することができず、コピーガードを悪くする方向にはならない。
【００３８】
つまり、上記の場合（ＣＧＭＳデコーダ５３から各チャネル毎のＣＧＭＳ値が何らかの理由で入力されない時、あるいはＣＧＭＳデコーダ５３自体が存在しないとき）は、ＣＧＭＳデコーダ５２から入力されるＣＧＭＳの代表値に基づき、マルチチャネルのプログラムの中にコピー禁止のチャネルが１つでもあれば、他のチャネルがコピーフリーあるいは１回コピー可であっても、コピーを禁止することとなるが、コピー禁止のチャネルの再生ＴＳのコピー記録を確実に防止することができる。また、ＣＧＭＳデコーダ５３が存在しなくても上記の効果が得られるので、この場合は構成を簡略化でき、安価に構成できる。
【００３９】
次に、本発明の他の実施の形態について説明する。図７は本発明の情報記録方法及び記録装置の要部の他の実施の形態のブロック図で、図１と同一構成部分には同一符号を付してある。この実施の形態では、ＣＧＭＳデコーダ１１の出力信号はＣＧＭＳセレクタ１２のみに入力される。
【００４０】
トラックフォーマッタ１５は、第１の入力端子に入力されたＴＳに対し、ＥＣＣなどを付加した後、各トラックに所定数のシンクブロックを記録するために、図２に示す第１のヘッダ領域であるメインヘッダ領域２１中に前記ＣＧＭＳの代表値が配置され、かつ、元々ＴＳ中にプログラムの形式で含まれている各チャネルのＣＧＭＳは抜き取らずにそのままの状態とされた、所定フォーマットのシンクブロック単位の信号に変換した後、所定方式（例えばＮＲＺＩ方式）で変調したディジタル情報信号を生成し、そのディジタル情報信号を、図示しない記録機構へ出力して記録させる。従って、この実施の形態では、各チャネルのＣＧＭＳは図２のパケットヘッダ領域２３には記録せず、図２のトランスポートパケット領域２４、２５中にそのまま記録される。
【００４１】
図８は本発明の再生装置の要部の他の実施の形態のブロック図を示す。同図中、図６と同一構成部分には同一符号を付し、その説明を省略する。同図中、ＣＧＭＳデコーダ５６はトラックフォーマッタ５１から入力される信号中、ＴＳパケットからマルチチャネルの各チャネルのＣＧＭＳを抽出し、その抽出ＣＧＭＳ値をＣＧＭＳセレクタ５４に供給する。
【００４２】
なお、本発明は上記の実施の形態に限定されるものではなく、例えば図３において、一周期の１１番目のシンクブロックのメインヘッダ領域２１の上位２ビットを、前記ＣＧＭＳの代表値に割り当てているが、この代表値はＣＧＭＳの論理反転値を割り当てるように定めてもよい（この場合は、「００」がコピー禁止、「０１」が１回コピー可、「１１」がコピーフリーとなる）。また、記録媒体は磁気テープ以外の例えば光ディスク、磁気ディスクなどにも適用でき、また、コピー世代コントロール信号はＣＧＭＳと同等のものであれば、これに限定されるものではない。
【００４３】
【発明の効果】
以上説明したように、本発明によれば、デコード手段が第１のヘッダ領域からマルチチャネルの各チャネル毎のコピー世代コントロール信号の代表値を抽出することができるので、マルチチャネルの主情報のコピー世代コントロール信号のうち最も厳しい内容のコピー世代コントロール信号に基づくコピー制御ができ、よって、コピー禁止とされているチャネルの主情報があるときは再生主情報を出力しないためにコピー禁止を確実にできる。
【００４４】
また、本発明によれば、デコード手段が第１のヘッダ領域と第２のヘッダ領域からコピー世代コントロール信号の代表値と、各チャネル毎に定められたコピー世代コントロール信号をそれぞれ抽出する構成であるときは、主情報をデコードしなくても第２のヘッダ領域の各チャネル毎に定められたコピー世代コントロール信号に基づいて、各チャネル毎に再生主情報の意図したコピー制御ができる。
【００４５】
更に、本発明によれば、デコード手段が第１のヘッダ領域のみからコピー世代コントロール信号の代表値をデコードする構成としたときは、第２のヘッダ領域から各チャネル毎に定められたコピー世代コントロール信号を抽出する構成が存在しない分、再生装置の構成を安価に、かつ、簡単に構成することができる。
【図面の簡単な説明】
【図１】本発明の情報記録方法及び記録装置の要部の一実施の形態のブロック図である。
【図２】図１において記録されるディジタル情報信号のシンクブロックのフォーマットの一例を示す模式図である。
【図３】図２のシンクブロック中のメインヘッダの一例の記録情報内容の説明図である。
【図４】図２のシンクブロック中のパケットヘッダの一例のフォーマット図である。
【図５】本発明により記録されるトラックフォーマットの一例を示す図である。
【図６】本発明の再生装置の要部の一実施の形態のブロック図である。
【図７】本発明の情報記録方法及び記録装置の要部の他の実施の形態のブロック図である。
【図８】本発明の再生装置の要部の他の実施の形態のブロック図である。
【図９】ＣＧＭＳのコードと内容の説明図である。
【符号の説明】
１１  ＣＧＭＳデコーダ
１２  ＣＧＭＳセレクタ
１３、１５  トラックフォーマッタ
２１  メインヘッダ領域（第１のヘッダ領域）
２３  パケットヘッダ領域（第２のヘッダ領域）
２４、２５  ＭＰＥＧトランスポートパケット（主情報）領域
３１  ＣＧＭＳ領域
４７  メインコード
５１  トラックフォーマッタ
５２、５３、５６  ＣＧＭＳデコーダ
５４  ＣＧＭＳセレクタ
【図１】
0003945101.tif 000002
【図２】
0003945101.tif 000003
【図３】
0003945101.tif 000004
【図４】
0003945101.tif 000005
【図５】
0003945101.tif 000006
【図６】
0003945101.tif 000007
【図７】
0003945101.tif 000008
【図８】
0003945101.tif 000009
【図９】
0003945101.tif 000010